(57)【要約】【課題】手摺と継ぎ手の間に段差が生じない平型傾斜手摺用継ぎ手を提供する。【解決手段】第１継ぎ手部材１０は重合部分１１が残余部分１２のほぼ半分の厚みを有して上面に平滑な当接面１３を有し、残余部分の手摺側端部は平型傾斜手摺の上面と連続する傾斜上面１６を有し、残余部分の手摺側端部以外の部分は傾斜上面の最上位面に連なる水平上面１７を有し、傾斜上面と水平上面は滑らかに連続する。第２継ぎ手部材２０は重合部分２１が残余部分２２のほぼ半分の厚みを有して下面に平滑な当接面２３を有し、残余部分の手摺側端部は手摺の上面と連なる傾斜上面２６を有し、残余部分の手摺側端部以外の部分は傾斜上面の最上位面に連なる水平上面２７を有し、傾斜上面と水平上面は滑らかに連続する。第２継ぎ手部材の連結軸側端部は連結軸を中心とする円弧状に形成され、第１継ぎ手部材の残余部分の当接面に臨む連結軸側端面は第２継ぎ手部材を連結軸中心の回動範囲を規制する回動規制面を形成している。【選択図】      図１
2006200292.tif 000002
【特許請求の範囲】
【請求項１】
第１継ぎ手部材と第２継ぎ手部材がその長手方向一端部側で重ね合わされ、その重合部分に設けられた連結軸でその連結軸回りに回動自在に連結され、各継ぎ手部材の長手方向他端部が手摺の一端部に結合される手摺用継ぎ手において、
前記第１継ぎ手部材はその重合部分が残余部分のほぼ半分の厚みを有して上面に平滑な当接面を有するとともに、前記残余部分の手摺側端部は平型傾斜手摺の上面と連続する傾斜上面を有し、前記残余部分の手摺側端部以外の部分の上面は前記傾斜上面の最上位面に連なる水平上面を有し、かつ、前記傾斜上面と前記水平上面は滑らかに連続されており、  前記第２継ぎ手部材はその重合部分が残余部分のほぼ半分の厚みを有して下面に平滑な当接面を有するとともに、前記残余部分の手摺側端部は平型傾斜手摺の上面と連続する傾斜上面を有し、前記残余部分の手摺側端部以外の部分の上面は前記傾斜上面の最上位面に連なる水平上面を有し、かつ、前記傾斜上面と前記水平上面は滑らかに連続されており、  少なくとも前記第２継ぎ手部材の連結軸側端部はその連結軸を中心とする円弧状に形成され、前記第１継ぎ手部材の残余部分の前記当接面に臨む前記連結軸側端面は前記第２継ぎ手部材の前記連結軸を中心とする回動範囲を規制する回動規制面を形成し、
前記第１継ぎ手部材と前記第２継ぎ手部材は前記当接面同士を当接して前記連結軸を中心として回動自在に連結されている、
ことを特徴とする平型傾斜手摺用継ぎ手。
【請求項２】
第１継ぎ手部材の回動規制面は第２継ぎ手部材の連結軸側端部から離間され、第１継ぎ手部材の当接面に対してほぼ直角とされ、第２継ぎ手部材の回動規制面は第１継ぎ手部材の連結軸側端部から離間され、第２継ぎ手部材の当接面に対してほぼ直角とされていることを特徴とする請求項１に記載の平型傾斜手摺用継ぎ手。
【請求項３】
第１継ぎ手部材の残余部分の側面と上面の間がアール加工されてそのアール加工面は連結軸側端部から手摺側端部近辺までＵ字形に連続し、第２継ぎ手部材の当接面の周辺と上部水平上面の周辺の間がアール加工されてそのアール加工面は連結軸側端部から手摺側端部近辺までＵ字形に連続し、第１継ぎ手部材の回動規制面は第２継ぎ手部材の連結軸側端部のアール加工面の凸面と補完する凹面に形成されていることを特徴とする請求項１に記載の平型傾斜手摺用継ぎ手。
【発明の詳細な説明】
【技術分野】
【０００１】
本発明は、平型手摺を任意の角度で接続するための継ぎ手であって、特に上面が手前側に傾斜している平型手摺用の継ぎ手に関する。
【背景技術】
【０００２】
手摺には、断面形状が円形の丸型手摺と、断面形状がほぼ矩形又は長卵形の平型手摺とがあり、前者は主として手で握るために用いられ、後者は主として手で体重を掛けるために用いられる。
【０００３】
一般的に、手摺を任意の角度で接続するための継ぎ手は、一方の手摺の端部に接続される第１継ぎ手部材と、他方の手摺の端部に接続される第２継ぎ手部材とを１本の連結軸によりその軸周りに回動自在に結合して構成されている。
【特許文献１】特になし
【発明の開示】
【発明が解決しようとする課題】
【０００４】
最近、平型手摺は、その上面に安定して体重を掛けることができ、屋外に設置される手摺の場合は、その上面から雨水などの水滴を迅速に排水できることが求められて、上面が通路側に下り傾斜している平型手摺（本明細書ではこれを平型傾斜手摺という場合がある。）が設置される例が見られるようになった。
【０００５】
しかしながら、従来の平型手摺用継ぎ手は、上面が水平状態に取り付けられる平型手摺用のものであるから、継ぎ手部材の上面も水平（連結軸に対して直交するように）に作られている。
従って、従来の平型手摺用継ぎ手を平型傾斜手摺の接続に用いると、手摺と各継ぎ手部材との境界に側面楔形の垂直な段差が生じる。そのため、病院や老後施設や保育施設などにおいて、歩行困難者や幼児などが手摺の上面に手で体重を掛けて、その手を手摺の上面で連続的に滑らせながら移動する際に、継ぎ手の前記段差に手又は手袋あるいは衣服の一部を引っ掛けて、負傷したり、衣服などを損傷したり、さらに悪くは転倒したりする虞がある。また、継ぎ手の構造及び形状によっては、継ぎ手部材の連結部周りにも段差や隙間が生じるため、これらが同様に、使用者の負傷事故や衣服破損事故などの原因になるので、このような事故を発生させない平型傾斜手摺用継ぎ手が要望されている。
【０００６】
本発明は、上記要望に応えるためになされたものである。すなわち、本発明が解決しようとする課題は、手摺と継ぎ手の間に負傷などの原因となる段差が生じない平型傾斜手摺用継ぎ手を提供することにある。
【課題を解決するための手段】
【０００７】
上記課題を解決するため、本発明は、第１継ぎ手部材と第２継ぎ手部材がその長手方向一端部側で重ね合わされ、その重合部分に設けられた垂直な連結軸でその連結軸回りに回動自在に連結され、各継ぎ手部材の長手方向他端部が手摺の一端部に結合される手摺用継ぎ手において、第１継ぎ手部材はその重合部分が残余部分のほぼ半分の厚みを有して上面に平滑な当接面を有するとともに、前記残余部分の手摺側端部は平型傾斜手摺の上面と連続する傾斜上面を有し、前記残余部分の手摺側端部以外の部分の上面は前記傾斜上面の最上位面に連なる水平上面を有し、かつ、前記傾斜上面と前記水平上面は滑らかに連続されており、第２継ぎ手部材はその重合部分が残余部分のほぼ半分の厚みを有して下面に平滑な当接面を有するとともに、前記残余部分の手摺側端部は平型傾斜手摺の上面と連続する傾斜上面を有し、前記残余部分の手摺側端部以外の部分の上面は前記傾斜上面の最上位面に連なる水平上面を有し、かつ、前記傾斜上面と前記水平上面は滑らかに連続されており、少なくとも前記第２継ぎ手部材の連結軸側端部はその連結軸を中心とする円弧状に形成され、前記第１継ぎ手部材の残余部分の前記当接面に臨む前記連結軸側端面は前記第２継ぎ手部材の前記連結軸を中心とする回動範囲を規制する回動規制面を形成し、前記第１継ぎ手部材と前記第２継ぎ手部材は前記当接面同士を当接して前記連結軸を中心として回動自在に連結されていることを特徴としている。
【０００８】
上記の構成により、二つの継ぎ手部材は連結軸を中心として回動規制面により規制される範囲で回動可能である。各継ぎ手部材の手摺側端部を平型傾斜手摺の端部に接続すると、手摺の傾斜上面と継ぎ手部材の傾斜上面とが一体的に連続する。その継ぎ手部材の手摺側端部の傾斜上面はそれ以外の水平上面に滑らかに連続する。
【０００９】
本発明による継ぎ手においては、第１継ぎ手部材の回動規制面は第２継ぎ手部材の連結軸側端部から離間され、第１継ぎ手部材の当接面に対してほぼ直角とされ、第２継ぎ手部材の回動規制面は第１継ぎ手部材の連結軸側端部から離間され、第２継ぎ手部材の当接面に対してほぼ直角とされている構成とすることができる。
上記構成により、継ぎ手は連結軸を中心として前後両側に９０度以上の角度まで手摺連続方向を設定することができる。
【００１０】
本発明による継ぎ手においては、第１継ぎ手部材の残余部分の側面と上面の間がアール加工されてそのアール加工面は連結軸側端部から手摺側端部近辺までＵ字形に連続し、第２継ぎ手部材の当接面の周辺と上部水平上面の周辺の間がアール加工されてそのアール加工面は連結軸側端部から手摺側端部近辺までＵ字形に連続し、第１継ぎ手部材の回動規制面は第２継ぎ手部材の連結軸側端部のアール加工面の凸面と補完する凹面に形成されていることが望ましい。
上記構成により、アール加工面により手で握って摺動し易くなる。各継ぎ手部材の連結軸側部分の上面は水平上面であるので、二つの継ぎ手部材を任意の角度に回動しても継ぎ手部材の上面間に段差が生じない。第１継ぎ手部材の回動規制面が第２継ぎ手部材の連結軸側端部のアール加工面の凸面と補完する凹面に形成されていることにより、実質的に継ぎ手の上面が全長にわたって連続する。
【発明の効果】
【００１１】
請求項１の本発明によれば、継ぎ手を構成する継ぎ手部材は、手摺側端部が平型傾斜手摺の上面と連続する傾斜上面を有し、また、継ぎ手部材の連結軸側部分の上面が水平上面に形成され、その水平上面と傾斜上面が滑らかに連続しているので、継ぎ手と手摺の間に段差が生じない。また、連結軸側部分の上面が水平上面に形成されているため、手摺の接続角度が変わっても両継ぎ手部材の上面が常に水平上面に沿って連続し、段差が生じない。従って、手摺接続部の外観が向上するばかりでなく、負傷、転倒事故などが未然に防止される。
【００１２】
請求項２の発明によれば、継ぎ手の上面が簡素な形状で一方の手摺から他方の手摺まで連続させるので、負傷事故などが防止される。
【００１３】
請求項３の発明によれば、両継ぎ手部材の周辺にアール加工面がＵ字形に連続し、継ぎ手の外面が実質的に全長にわたって連続し段差や隙間が生じないので、負傷事故などが防止されるとともに美観が増す。
【発明を実施するための最良の形態】
【００１４】
次に、本発明の実施の形態について図面に基づいて説明する。
図１は本発明に係る継ぎ手の一例の斜視図、図２は同継ぎ手を用いて接続されている平型傾斜手摺の斜視図、図３は同継ぎ手の正面図、図４同継ぎ手の平面図である。
【００１５】
本発明による継ぎ手Ｊは、図２に示すように、二つの手摺Ｒ１、Ｒ２の端部同士を直線状に又は任意の角度をもって連結するものであり、特に手摺Ｒ１、Ｒ２が平型傾斜手摺である場合に用いられる。すなわち、平型傾斜手摺は、図２の左側のもので示されるように、断面形状がほぼ矩形又は長卵形をなし、その底面は支柱Ｐよる取付安定性を確保するためほぼ水平であるが、上面は手摺使用者が手又は肘で安定して体重を掛けることができるように、また、上面から水滴が流れ去り易くするために、通路側に下り傾斜する傾斜上面とされている。
【００１６】
このような傾斜上面を有する平形傾斜手摺を連結する継ぎ手Ｊは、図１に示すように、一方の手摺Ｒ１に結合される第１継ぎ手部材１０と、他方の手摺Ｒ２に結合される第２継ぎ手部材２０とを、その一端部側を重ね合わせ、その重ね合わせた部分（重合部分）において連結軸（図１には示されていない）により、その連結軸を中心として回動自在に連結してなるものであるが、本発明に係る継ぎ手Ｊは、以下に詳述するような形状及び構造を有する。
【００１７】
第１継ぎ手部材１０は、第２継ぎ手部材２０と重ね合わされ、連結軸１（図３参照）により連結される部分（重合部分）１１が、それ以外の手摺に結合される側の部分（残余部分）１２のほぼ半分の厚みを有し、その重合部分１１は残余部分１２の下側半分から連結軸方向に延長され、上面に平滑な当接面１３を有している。そして、残余部分１２の手摺側端面には、この継ぎ手部材を手摺Ｒ１に結合するための結合部１４が突設されている。結合部１４には、これを手摺の下面に嵌合した状態で手摺にねじ込まれるねじを貫通するための孔１５が設けられている。
【００１８】
第１継ぎ手部材１０の手摺Ｒ１と結合される側の端部、すなわち、残余部分２の手摺側端部は平型傾斜手摺Ｒ１の断面形状の輪郭と同じ輪郭をもって形成されて、上面に手摺の傾斜上面と同じ傾斜上面１６を有している。こうして、第１継ぎ手部材１０を手摺Ｒ１に結合した場合は、その手摺の傾斜上面と第１継ぎ手部材の傾斜上面が連続するようになっている。また、残余部分２の手摺側端部を除いた部分の上面には、傾斜上面１６の最上位面に連なる水平上面１７が形成されている。
【００１９】
他方、第２継ぎ手部材２０は、第１継ぎ手部材１０と重ね合わされ、連結軸１により連結される部分（重合部分）２１が、それ以外の手摺に結合される側の部分（残余部分）２２のほぼ半分の厚みを有し、かつ、重合部分２１は残余部分２２の上側半分から連結軸方向に延長され、下面に平滑な当接面２３を有している。そして、残余部分の手摺側端面には、この継ぎ手部材を手摺Ｒ２に結合するための結合部２４が突設されている。結合部２４には、これを手摺の下面に嵌合した状態で手摺にねじ込まれるねじを貫通するための孔２５が設けられている。
【００２０】
第２継ぎ手部材２０の手摺Ｒ２と結合される側の端部、すなわち、残余部分２２の手摺側端部は平型傾斜手摺Ｒ２の断面形状の輪郭と同じ輪郭をもって形成されて、上面に手摺の傾斜上面と同じ傾斜上面２６を有している。こうして、第２継ぎ手部材を手摺Ｒ２に結合した場合は、その手摺の傾斜上面と第２継ぎ手部材の傾斜上面が連続するようになっている。また、残余部分２２の手摺側端部を除いた部分の上面と重合部分２１の上面には、傾斜上面２６の最上位面に連なる水平上面２７が形成されている。
【００２１】
第１継ぎ手部材１０の重合部分１１の連結軸側端部及び第２継ぎ手部材２０の重合部分２１の連結軸側端部は、それぞれ連結軸１を中心とする円弧状に形成されて、二つの継ぎ手部材１０，２０の連結軸１回りの回動が可能とされている。これに呼応して、残余部分１２，２２の連結軸側端面は、それぞれ第２継ぎ手部材２０の連結軸側端部及び第１継ぎ手部材１０の連結軸側端部から離間されて当接面１３、２３に直角に臨む段面状に形成されていて、各継ぎ手部材の回動範囲を規制する回動規制面１８，２８を構成している。
【００２２】
回動規制面１８，２８の横断面形状により継ぎ手部材の回動可能な角度、すなわち、手摺の接続角度である最大曲げ角度が規定される。各継ぎ手部材１０，２０は、それらの両側面が共通の垂直面上に存在する、図４の実線で示された位置から前方又は後方に一方の継ぎ手部材の側面が他方の継ぎ手部材の回動規制面に当接する、図４に鎖線で示された位置まで回動可能である。
【００２３】
上記の実施例においては、回動規制面１８，２８がそれぞれ当接面１３，２３に対して他の継ぎ手部材の連結軸側端部から離間された位置において直角な面を有するように形成されたが、継ぎ手上面での手の摺動がさらに円滑にできるようにするため、図５以下の図面に示すように、次のような形状とすることができる。
【００２４】
すなわち、図５は他の実施例の継ぎ手Ｊ´の斜視図、図６は同継ぎ手の正面図、図７は同継ぎ手の平面図、図８は横断面図である。先の実施例の構成要素と同じもには同一の符合を用いる。
【００２５】
この実施例では、第１継ぎ手部材１０の残余部分１２の側面と上面の間がアール加工されてそのアール加工面は連結軸側端部から手摺側端部近辺までＵ字形に連続（１９）し、第２継ぎ手部材２０の当接面２３の周辺と上部水平上面２７の周辺の間がアール加工されてそのアール加工面は連結軸側端部から手摺側端部近辺までＵ字形に連続（２９）し、第１継ぎ手部材の回動規制面１８は第２継ぎ手部材２０の連結軸側端部のアール加工面の凸面と補完する凹面に形成されている。
【００２６】
第１継ぎ手部材１０の重合部分１１の連結軸側端部も第２継ぎ手部材２０の連結軸側端部のアール加工面の凸面と同様の凸面とし、第２継ぎ手部材２０の回動規制面２８を第１継ぎ手部材１０の回動規制面１８と同様に凹面とすると良い。これにより、継ぎ手全体が左右対称形に見えるので、均整の取れた外観が得られる。
【００２７】
上記の構成を備えた継ぎ手Ｊ´を平型傾斜手摺の接続に用いると、手摺の直線的接続のほか、任意の角度をもった屈曲接続が可能であり、いずれの場合も、一方の手摺の上面から他方の手摺の上面まで滑らかに連続し、手摺と継ぎ手の間、及び継ぎ手の継ぎ手部材の間に段差や隙間が生じないので、手摺の上面を連続して手を滑らせて移動する際に怪我をしたり、衣服等が捕捉されることがない。
【図面の簡単な説明】
【００２８】
【図１】本発明に係る継ぎ手の一例の斜視図。
【図２】同継ぎ手を用いて接続された平型傾斜手摺の斜視図。
【図３】同継ぎ手の正面図。
【図４】同継ぎ手の平面図。
【図５】本発明に係る継ぎ手の他例の斜視図。
【図６】同継ぎ手の正面図。
【図７】同継ぎ手の平面図。
【図８】同継ぎ手の横断面図。
【符号の説明】
【００２９】
Ｒ１，Ｒ２    平型傾斜手摺
Ｊ，Ｊ´      継ぎ手
１            連結軸
１０          第１継ぎ手部材
２０          第２継ぎ手部材
１１、２１    重合部分
１２、２２    残余部分
１３、２３    当接面
１４、２４    結合部
１６、２６    傾斜上面
１７、２７    水平上面
１８、２８    回動規制面
１９、２９    アール加工面
【図１】
2006200292.tif 000003
【図２】
2006200292.tif 000004
【図３】
2006200292.tif 000005
【図４】
2006200292.tif 000006
【図５】
2006200292.tif 000007
【図６】
2006200292.tif 000008
【図７】
2006200292.tif 000009
【図８】
2006200292.tif 000010